(57)【要約】【課題】製品コストがさほど高くならず、使用経費も高くつかない上に、長い時間をも要さずに、洗濯物を加熱する運転を行い、洗浄効果を上げることができるようにする。【解決手段】内槽（洗濯槽）内に収容した洗濯物に給水、加湿をしない状態で、内槽を回転させつつ、内槽内に温風供給装置により温風を供給して洗濯物を加熱する運転（加熱）を行い、その後に内槽内に給水して洗濯物の洗浄（洗浄行程）を行う。又、その場合、供給する温風の温度は、蛋白質の変性温度未満の温度であり、もって、蛋白質の汚れを固まらせてこびり付かせることもなく、洗濯物を熱で傷めることもない。【選択図】図１
2008259627.tif 000002
【特許請求の範囲】
【請求項１】
洗濯槽を回転可能に具えると共に、
前記洗濯槽を回転駆動する駆動装置と、
前記洗濯槽内に温風を供給する温風供給装置とを具備し、
前記洗濯槽内に洗濯物を収容し、その洗濯物に給水、加湿をしない状態で、洗濯槽を回転させつつ、洗濯槽内に前記温風供給装置により蛋白質の変性温度未満の温度の温風を供給して洗濯物を加熱する運転を行い、その後に洗濯槽内に給水して洗濯物の洗浄を行うようにしたことを特徴とする洗濯機。
【請求項２】
洗濯機が設置された場所の温度を検知する検温手段を具え、その検知結果に応じて、洗濯物を加熱する運転の実行内容を変えることを特徴とする請求項１記載の洗濯機。
【請求項３】
検温手段による温度の検知を、洗濯物を加熱する運転の開始時又は開始直前と、開始所定時間後との複数回行うことを特徴とする請求項２記載の洗濯機。
【請求項４】
洗濯物量を検知する機能を具え、その検知結果に応じて、洗濯物を加熱する運転を行うときの洗濯槽の回転速度を変えることを特徴とする請求項１記載の洗濯機。
【請求項５】
洗濯槽の回転の拘束を検知する機能を具え、洗濯物を加熱する運転を行うときに洗濯槽の拘束が検知されたときには、洗濯槽を回転させずに温風を供給することを特徴とする請求項４記載の洗濯機。
【請求項６】
洗濯物を加熱する運転を行う前に、洗濯物をほぐす運転を行うことを特徴とする請求項１記載の洗濯機。
【請求項７】
洗濯物を加熱する運転を行ったときには、その後の洗濯物の洗浄を、洗濯物を加熱する運転を行わないときより長い時間行うことを特徴とする請求項１記載の洗濯機。
【発明の詳細な説明】
【技術分野】
【０００１】
本発明は、洗濯物を加熱する運転を行う洗濯機に関する。
【背景技術】
【０００２】
従来より、洗濯物を加熱する運転を行えば、洗濯物に付着した皮脂汚れが落ちやすくなり、洗濯物の洗浄効果が上がることが知られている。
その方法としては、洗濯槽内に供給した水をヒータで加熱して温水を生成し、この温水で洗濯物を加熱する運転を行うものや、洗濯槽内に給水した後に、温風を洗濯槽内に供給して水温並びに洗濯物の温度を上げ、そのようにして洗濯物を加熱する運転を行うものがあり（例えば特許文献１参照）、更には、洗濯槽内に蒸気を供給して洗濯物の温度を上げ、そのようにして洗濯物を加熱する運転を行うものがある（例えば特許文献２参照）。
【特許文献１】特開２００５−１７７０７０号公報
【特許文献２】特開２００３−９３７７５号公報
【発明の開示】
【発明が解決しようとする課題】
【０００３】
上記従来のもののうち、温水で洗濯物を加熱する運転を行うものは、洗濯槽内に供給した水をヒータで加熱して温水を生成するのに、出力の大きなヒータが必要で、製品コストが高くなると共に、使用経費も高くつき、それでいてしかも、水温を上げるのに長い時間がかかるという欠点を有する。
又、洗濯槽内に給水した後に、温風を洗濯槽内に供給して水温並びに洗濯物の温度を上げるものでも、結局は水温を上げることで洗濯物の温度を上げるために、長い時間がかかるという欠点を有する。
そして更に、洗濯槽内に蒸気を供給して洗濯物の温度を上げるものは、蒸気を生成するのに特別な蒸気発生装置が必要で、製品コストが高くなるという欠点を有する。
【０００４】
本発明は上述の事情に鑑みてなされたものであり、従ってその目的は、製品コストがさほど高くならず、使用経費も高くつかない上に、長い時間をも要さずして、洗濯物を加熱する運転を行い、洗浄効果を上げることのできる洗濯機を提供するにある。
【課題を解決するための手段】
【０００５】
上記目的を達成するために、本発明の洗濯機においては、洗濯槽を回転可能に具えると共に、前記洗濯槽を回転駆動する駆動装置と、前記洗濯槽内に温風を供給する温風供給装置とを具備し、前記洗濯槽内に洗濯物を収容し、その洗濯物に給水、加湿をしない状態で、洗濯槽を回転させつつ、洗濯槽内に前記温風供給装置により蛋白質の変性温度未満の温度の温風を供給して洗濯物を加熱する運転を行い、その後に洗濯槽内に給水して洗濯物の洗浄を行うようにしたことを特徴とする（請求項１の発明）。
【発明の効果】
【０００６】
上記手段によれば、洗濯物は、給水、加湿をされない状態で、洗濯槽と共に回転をすることにより位置変えされつつ均一に温風を供給されて、皮脂汚れが剥がれやすくなる。そして、その後に洗濯槽内に給水して洗濯物の洗浄が行われることにより、剥がれやすくなった皮脂汚れが水で洗濯物から遊離され、落とされる。この場合、温風供給装置が供給する温風の温度は、蛋白質の変性温度未満の温度であり、従って、蛋白質の汚れを固まらせてこびり付かせることもなく、洗濯物を熱で傷めることもない。
【０００７】
そして、温風供給装置は、上記温風を給水、加湿をされない洗濯物に対して供給するだけのものであり、よって、製品コストがさほど高くなることはなく、使用経費も高くつかない。その上、長い時間をも要することはなく、洗濯物を加熱する運転を効率良く行うことができて、洗浄効果を上げることができる。
【発明を実施するための最良の形態】
【０００８】
以下、本発明の一実施例（一実施形態）につき、図面を参照して説明する。
まず、図４は、乾燥機能付き洗濯機の全体を縦断して表しており、外殻１を、底部に複数の脚２を有する外箱３と、これの最上部に装着したトップカバー４とで構成している。
外箱３内には、外槽５を、弾性吊持機構６（一部のみ図示）により弾性支持して配設しており、この外槽５の内部に、洗濯槽であり、脱水槽、並びに乾燥槽でもある内槽７を配設している。内槽７の内部には、最下部に撹拌体８を配設しており、この撹拌体８と内槽７とを洗濯時と脱水時並びに乾燥時について選択回転駆動するモータ（図４には示さず）を主体とする駆動装置９を、外槽５の外下方部に配設している。
【０００９】
一方、トップカバー４の内部には、前部に制御装置１０を配設し、後部に温風供給装置１１を配設している。このうち、制御装置１０は、乾燥機能付き洗濯機の作動全般を制御する制御手段たるもので、例えばマイクロコンピュータを主体に構成している。
温風供給装置１１は、電動のファン１２を主体とするもので、矢印Ｘで示すように、機外部の空気を後方から吸入し、それによって生起した風をケーシング１３及び可撓性のある給風ホース１４を通じて吐出するようになっている。又、ケーシング１３の内部には、ヒータ１５を配設しており、それによって、生起した風を熱し、その熱した風（温風）を給風ホース１４を通じて吐出するようになっている。
そのほか、トップカバー４の内部には給水装置（図４には示さず）を配置しており、この給水装置は、水道の水を蛇口から給水弁を通じて供給するものである。
【００１０】
ここで、前記外槽５は有底の縦軸形円筒状を成しており、内槽７も同じく有底の縦軸形円筒状を成していて、該内槽７の上縁部には、内周に回転バランサ１６を設けている。又、外槽５の下部、この場合、後側（図では左側）の周側部の下部には、排気口１７を形成し、この排気口１７に連なる下部排気通路１８を、外槽５の上記後側の周側部の下部から上部にかけて該外槽５と一体のダクト構成の成形により設けている。
【００１１】
これに対して、外槽５の上縁部には、外槽カバー１９を装着している。この外槽カバー１９は中央部に開口部２０を有する環状にて、その開口部２０後方の後側部１９ａで、内蓋２１のヒンジ部２２を横軸回動可能に支持し、もって、内蓋２１が上下に回動して開口部２０を開閉するようにしている。
又、外槽カバー１９の後側部１９ａには、通風口２３を形成しており、その通風口２３には、前記温風供給装置１１における給風ホース１４の先端部を接続している。通風口２３の後側から右側には、上部排気通路２４を設けている。この上部排気通路２４は、外槽カバー１９とは別体の主として下面が開放した覆い部品を外槽カバー１９に取着して構成している。
【００１２】
しかして、外槽カバー１９を外槽５の上縁部に装着した状態では、上記上部排気通路２４が前記下部排気通路１８に接合されて連通しており、上部排気通路２４は下部排気通路１８側とは反対側の前部の上部から排気するようになっている。
なお、前記内蓋２１の前部には、該内蓋２１を閉鎖状態に係止する爪部２５を一体に有する開閉操作用の取手２６を設けており、他方、外槽５の底部には排水弁２７を介して排水ホース２８を接続している。
【００１３】
図５は、前記制御装置１０を中心とする電気的構成を示しており、操作入力部２９と、温度センサ３０、回転センサ３１、電流センサ３２からそれぞれ検知信号が入力されるようになっている。このうち、操作入力部２９は、前記トップカバー４の前部上面等に設けた図示しない操作パネルが有する各種操作キーに対応するスイッチにて構成したものであり、温度センサ３０は、洗濯機が設置される場所の温度を検知する検温手段として、例えば前記温風供給装置１１のケーシング１３の外面部に装着したものである（図４参照）。回転センサ３１は前記内槽７の回転を検知するように例えば外槽５内に設けたものであり、電流センサ３２は前記駆動装置９に流れる負荷電流を検知するように駆動装置９内に設けたものである。
【００１４】
そして、制御装置１０は、それらの入力並びにあらかじめ記憶した制御プログラムに基づいて、前記操作パネルが有する各種表示器で構成される表示部３３と、前記駆動装置９のモータ３４と、前記給水装置の給水弁３５、前記温風供給装置１１のファン１２、同温風供給装置１１のヒータ１５、及び前記排水弁２７を、駆動回路３６を介して制御するようになっている。
【００１５】
次に、上記構成のものの作用を述べる。
上記構成のもので実行できる運転のコースには、図６に示すように、「標準」、「ザブザブ」、「スピーディ」、「ドライ」、「毛布」があり、そのいずれかを前記操作パネルの操作キーで選択できるようになっている。
【００１６】
図１は、そのうちの「標準」コースにおける運転の制御内容を表している。この「標準」コースでは、最初に、「加熱行程」を始め、内槽７内に収容した洗濯物（図示せず）の量の検知を行う。この洗濯物量の検知は、内槽７を所定の回転速度で６〔秒〕間回転させて、そのときのモータ３４に流れる負荷電流を電流センサ３２で検知する内容で行う。
この場合、内槽７内に収容した洗濯物の量が多いほど、検知される負荷電流が多いので、その電流値に応じて、内槽７内に収容した洗濯物の量を判定する。判定する洗濯物の量は、この場合、「２〔ｋｇ〕以下」、「２〔ｋｇ〕超、４．５〔ｋｇ〕以下」、「４．５〔ｋｇ〕超、６〔ｋｇ〕以下」、「６〔ｋｇ〕超、８〔ｋｇ〕以下」である。
【００１７】
この後、洗濯物の判定量に応じた洗剤量の表示をする例えば１〔分〕の待機時間を経て、洗濯物をほぐす運転を例えば３０〔秒〕間行う。この洗濯物をほぐす運転は、上記洗濯物量の検知（内槽７の回転）で偏倚した洗濯物の偏りを解くもので、例えば、撹拌体８を０．９〔秒〕正方向に回転（正転）させ、０．５〔秒〕休止させて、更に０．９〔秒〕正転させることを繰り返すもので、回転させるときの速度は１００〔ｒｐｍ〕である。
なお、これまでの間、温風供給装置１１のファン１２を回転させ（ヒータ１５は発熱させない）、それによって前述のように生起した風を外槽５内から内槽７内に供給する。 
【００１８】
この後、温度センサ３０による、洗濯機が設置された場所の温度の検知（第１検温）を行う。
そして、その結果、図２に示すように、検知した温度が、この場合、３０〔℃〕未満であれば、温風供給装置１１のヒータ１５を「弱」で連続通電して発熱させ、ファン１２を４０００〔ｒｐｍ〕の回転速度で回転させる。すると、既述のように、温風が生成され、その温風が、図４に矢印Ｘで示したように、給風ホース１４から通風口２３を通じて外槽５内から内槽７内に供給される。
【００１９】
又、このときには、図１に示すように、内槽７を回転させる。その回転は、前記洗濯物量の検知結果（判定結果）に応じて行われるもので、判定した洗濯物量が２〔ｋｇ〕以下から４．５〔ｋｇ〕以下までの範囲にあれば、この場合、３５０〔ｒｐｍ〕の回転速度で内槽７を回転させ、４．５〔ｋｇ〕超から８〔ｋｇ〕以下の範囲にあれば、４０〔ｒｐｍ〕の回転速度で内槽７を回転させる。
【００２０】
これは、洗濯物量が多いときに内槽７を高速回転させると、内槽７からはみ出し勝ちな洗濯物が内蓋２１や外槽カバー１９に接して傷んだり、もしくは内槽７の回転を拘束する（停止させる）ようになるからであり、よって、洗濯物量が多いときには、内槽７の回転速度を低くして、内蓋２１や外槽カバー１９に対する洗濯物の接触を避け、洗濯物が内槽７からはみ出すようになるおそれのない洗濯物量が少ないときにのみ、内槽７をより高速度で回転させるものである。
なお、このとき、それでも内槽７の回転が拘束されれば、それが回転センサ３１により検知されるから、それに応じて内槽７の回転駆動を停止する。
【００２１】
内槽７が低速、拘束のいずれの速度でも回転され続ければ、内槽７内では洗濯物が位置変えされるものであり、それにより、上述のように内槽７内に供給された温風は、位置変えを続ける洗濯物に接触して、該洗濯物を均一に加熱する。この時点で、洗濯物には、給水も、加湿もしてはいない。
洗濯物に接触した後の温風は、撹拌体８が有する図示しない孔、及び内槽７が底部に有する同じく図示しない孔を通って、図４に矢印Ｘで示したように、排気口１７から下部排気通路１８、上部排気通路２４を順に通り、そして、外槽５と外箱３との間を通って、各部の適当な隙間や、外箱３の底部の開口３ａから機外に排出される。
【００２２】
なお、温風供給装置１１のヒータ１５は、詳細にはＰＴＣヒータで、例えば２本あり、そのうちの１本に通電することにより、上述の「弱」発熱をし、２本に通電することによf、「強」発熱をするようになっている。
又、このとき、排水弁２７も開放させ、内槽７内に供給された温風の排出に供ぜしめる。
【００２３】
以上に対して、前記温度センサ３０により検知した温度が、３０〔℃〕以上であれば、温風供給装置１１のヒータ１５を発熱させず、ファン１２を４０００〔ｒｐｍ〕の回転速度で回転させることだけを行う。これにより、内槽７内にはヒータ１５で加熱しない風が供給される。これは、温度センサ３０により検知した温度が３０〔℃〕以上あれば、加熱運転初期の温度としては充分な温度で、ヒータ１５で加熱する必要がないからである。
なお、このときにも、内槽７の回転制御は、上述同様に洗濯物量の検知結果別に行い、内槽７の回転が拘束されたときの制御も上述同様に行う。内槽７内に供給された風は上述同様の経路で機外に排出される。
【００２４】
この後、所定時間の例えば１０〔分〕後、前記温度センサ３０による、洗濯機が設置された場所の温度の検知を再度行う（第２検温）。
そして、その検知した温度に応じた制御を行うが、このとき、検知した温度別だけでなく、上記１０〔分〕間の初期加熱運転を行ったときのヒータ１５の制御別にも異なる制御をする。
【００２５】
そのうち、上記１０〔分〕間の初期加熱運転を行ったときのヒータ１５の制御を、「弱」ながら「発熱」で行った状況での制御内容は、図３（ａ）に示すとおりであり、この場合、検知した温度が、３０〔℃〕未満であれば、上記温風供給装置１１のヒータ１５を「強」で連続通電して発熱させ、ファン１２を４５００〔ｒｐｍ〕の回転速度で回転させる。これにより、内槽７内にはヒータ１５で強く加熱した最高温の温風が供給される。
【００２６】
これに対して、検知した温度が、３０〜５０〔℃〕未満であれば、温風供給装置１１のヒータ１５を「弱」で連続通電して発熱させ、ファン１２は４５００〔ｒｐｍ〕の回転速度で回転させる。これにより、内槽７内にはヒータ１５で上述よりも弱く加熱した中高温の温風が供給される。
検知した温度が、５０〔℃〕以上であれば、温風供給装置１１のヒータ１５を「弱」で間欠通電（例えば２〔分〕通電−２〔分〕断電の繰り返し）して断続発熱させ、ファン１２は４５００〔ｒｐｍ〕の回転速度で回転させる。これにより、内槽７内にはヒータ１５で上述よりも更に弱く加熱した中温の温風が供給される。
【００２７】
一方、前記１０〔分〕間の初期加熱運転を行ったときのヒータ１５の制御を、「発熱なし」で行った状況での制御内容は、図３（ｂ）に示すとおりであり、この場合、検知した温度が、３０〔℃〕未満であれば、上記温風供給装置１１のヒータ１５を「弱」で連続通電して発熱させ、ファン１２を４５００〔ｒｐｍ〕の回転速度で回転させる。これにより、内槽７内にはヒータ１５で中高温に加熱した温風が供給される。
【００２８】
これに対して、検知した温度が、３０〜３５〔℃〕未満であれば、温風供給装置１１のヒータ１５を「弱」で間欠通電（例えば２〔分〕通電−２〔分〕断電の繰り返し）して断続発熱させ、ファン１２は４５００〔ｒｐｍ〕の回転速度で回転させる。これにより、内槽７内にはヒータ１５で中温に加熱した温風が供給される。
検知した温度が、３５〔℃〕以上であれば、温風供給装置１１のヒータ１５を発熱させず、ファン１２を４５００〔ｒｐｍ〕の回転速度で回転させることだけを行う。これにより、内槽７内にはヒータ１５で加熱しない風が供給される。
【００２９】
かくして、前記１０〔分〕間の初期加熱運転を行ったときのヒータ１５の制御別と、その後に検知した温度別の、適切な制御ができる。
なお、このときにも、内槽７の回転制御は、前述同様に洗濯物量の検知結果別に行い、内槽７の回転が拘束されたときの制御も前述同様に行う。内槽７内に供給された風は上述同様の経路で機外に排出される。
【００３０】
以上のように給水、加湿がされない洗濯物を温風で加熱する加熱運転を実行するが、いずれの制御内容でも、供給する温風の温度は、蛋白質の変性温度未満の温度である。蛋白質の変性温度は、図７に示すように、卵黄で６５〔℃〕、卵白で７０〔℃〕であり、これをもとに、前記加熱行程で供給する温風の温度は、６５〔℃〕未満、特には図６に示すように、６０〔℃〕以下としている。
【００３１】
なお、本構成のもので実行できる運転のコースには、「標準」のほかにも、「ザブザブ」、「スピーディ」、「ドライ」、「毛布」とあることは既述のとおりであり、その全コースの詳細な制御内容は割愛するが、「ザブザブ」と「スピーディ」の両コースにおいては、前記加熱運転で供給する温風の温度を、６０〔℃〕以下とし、「ドライ」と「毛布」の両コースにおいては、前記加熱運転で供給する温風の温度を、４５〔℃〕以下としている。これは、「ドライ」コースで洗濯する洗濯物の布質が化学繊維系などデリケートなもので熱に弱く、「毛布」コースで洗濯する洗濯物（毛布）にも同様の布質のものがあるからである。
【００３２】
更に、「標準」と「ザブザブ」、及び「スピーディ」のコースにおいては、上記加熱運転におけるヒータ１５の制御を、前述のように、検知温度に応じて、「弱」発熱、「強」発熱、「発熱なし」のいずれかに設定して行うのに対し、「ドライ」と「毛布」のコースにおいては、「弱」、「発熱なし」のいずれかに設定して行う。
又、「標準」と「ザブザブ」、及び「スピーディ」のコースにおいては、上記加熱運転におけるファン１２の制御を、前述のように、運転の初期で４０００〔ｒｐｍ〕、後期で４５００〔ｒｐｍ〕に設定して行うのに対し、「ドライ」と「毛布」のコースにおいては、４５００〔ｒｐｍ〕に固定設定して行う。
【００３３】
加えて、「標準」と「ザブザブ」、及び「スピーディ」のコースにおいては、上記加熱運転における内槽７の回転の制御を、前述のように、洗濯物量の検知結果に応じて、４０と３５０〔ｒｐｍ〕とのいずれかに設定して行うのに対し、「ドライ」と「毛布」のコースにおいては、４０〔ｒｐｍ〕に固定設定して行う。
そして、図１に示すように、上述のような後期の加熱運転を例えば１８〔分〕３０〔秒〕行い、その後に、「洗浄行程」に進んで、外槽５内から内槽７内に前記洗濯物の検知量に応じた量の給水を、あらかじめセットされた洗剤の供給と併せて行い、次いで、撹拌体８を正逆両方向に交互に回転させて洗濯物の洗浄を行う。
【００３４】
ここで、上記「標準」、「ザブザブ」、「スピーディ」、「ドライ」、「毛布」のコースについては、加熱行程の実行をしない内容の設定も、前記操作パネルの操作キーで選択できるようになっており、その加熱行程の実行をしない（加熱運転を行わない）ときに比して、加熱行程の実行をしたときの上記洗浄工程での洗濯物の洗浄は、長い（この場合、５〔分〕多くの）時間をかけて行う。これにより、洗浄前に加熱を必要とした（皮脂汚れの多かった）洗濯物の洗浄を念入りに行う。
【００３５】
又、洗浄行程の後は、図示しないが、洗浄行程同様に内槽７内に給水して撹拌体８を回転させることにより洗濯物を撹拌してすすぐ「すすぎ行程」、内槽７を高速回転させることにより洗濯物を遠心脱水する「脱水行程」を順に実行し、更に、内槽７を低速回転させつつ内槽７内に温風供給装置１１により温風を供給して洗濯物を乾燥させる「乾燥行程」を実行する。
【００３６】
このように本構成のものでは、洗濯槽である内槽７内に収容した洗濯物に給水、加湿をしない状態で、内槽７を回転させつつ、内槽７内に温風供給装置１１により蛋白質の変性温度未満の温度の温風を供給して洗濯物を加熱する運転を行い、その後に内槽７内に給水して洗濯物の洗浄を行うようにしている。
【００３７】
それにより、洗濯物は、給水、加湿をされない状態で、位置変えされつつ均一に温風を供給されて、皮脂汚れが剥がれやすくなる。そして、その後に内槽７内に給水して洗濯物の洗浄が行われることにより、剥がれやすくなった皮脂汚れが水で洗濯物から遊離され、落とされる。この場合、温風供給装置１１が供給する温風の温度は、蛋白質の変性温度未満の温度であり、従って、蛋白質の汚れを固まらせてこびり付かせることもなく、洗濯物を熱で傷めることもない。
【００３８】
そして、温風供給装置１１は、上記温風を給水、加湿をされない洗濯物に対して供給するだけのものであり、よって、従来の、洗濯槽内に供給した水をヒータで加熱して生成した温水で洗濯物を加熱するものや、蒸気発生装置で生成した蒸気を洗濯槽内に供給して洗濯物の温度を上げるものに比し、出力の大きなヒータや特別な蒸気発生装置を必要としないので、製品コストがさほど高くなることはなく、使用経費も高くつかない。その上、洗濯槽内に供給した水をヒータで加熱して温水を生成するものや、洗濯槽内に温風を供給して水温並びに洗濯物の温度を上げるもののような長い時間をも要することはなく、洗濯物を加熱する運転を効率良く行うことができて、洗浄効果を上げることができる。
【００３９】
加えて、本構成のものの場合、洗濯機が設置された場所の温度を検知する検温手段として温度センサ３０を具え、その検知結果に応じて、洗濯物を加熱する運転の実行内容を変えるようにしている。具体的には、加熱運転の開始時の検温（第１検温）結果で、内槽７内に供給する温風の生成、不生成の選択をし、加熱運転の開始所定時間後の検温（第２検温）結果で、内槽７内に供給する温風の生成、不生成の選択、及び生成温風の温度制御をするようにしている。
これにより、洗濯物を加熱する運転について、洗濯機が設置された場所の温度に応じた適切な制御ができる。
【００４０】
又、その場合、温度センサ３０による温度検知を、上述のように、加熱運転の開始時と、開始所定時間後との複数回行うようにしており、それによって、より細密で、より適切な制御ができる。なお、温度センサ３０による加熱運転開始時の温度検知は、開始直前に行うように変えても同様の作用効果を得ることができる。
【００４１】
そのほか、本構成のものでは、洗濯物量を検知する機能を具え、その検知結果に応じて、洗濯物を加熱する運転を行うときの内槽７の回転速度を変えるようにしている。これにより、既述のように、洗濯物が多いときの、該洗濯物の傷付きや内槽７の回転が拘束されたりすることのないようにできる。
又、その場合、内槽７の回転の拘束を検知する機能を具え、洗濯物を加熱する運転を行うときに内槽７の拘束が検知されたときには、内槽７を回転させずに温風を供給するようにしている。これにより、内槽７が拘束されたままになることを避け得、モータ３４の過熱を防止できるなど、より安全に使用することができる。
【００４２】
更に、本構成のものの場合、洗濯物を加熱する運転を行う前に、洗濯物をほぐす運転を行うようにしている。これにより、洗濯物を加熱する運転で、温風を洗濯物に偏りなく当てることができて、均一な加熱効果を得ることができる。
そして、洗濯物を加熱する運転を行ったときには、その後の洗濯物の洗浄を、洗濯物を加熱する運転を行わないときより長い時間行うようにしている。これにより、既述のように、洗浄前に加熱を必要とした（皮脂汚れの多かった）洗濯物の洗浄を念入りに行って、充分な洗浄効果を得ることができる。
【００４３】
なお、上記実施例では、本発明をいわゆる縦軸形の洗濯機に適用して述べたが、それに限られず、横軸形のドラム式洗濯機にも同様に適用して実施することができる。
又、洗濯物を加熱する運転を行うときには、撹拌体８を回転させて洗濯物を撹拌するようにしても良い。このようにすれば、洗濯物の偏りを解いたり、位置換えができたりして、洗濯物をより均一に加熱することができる。
そのほか、本発明は上記し且つ図面に示した実施例にのみ限定されるものではなく、要旨を逸脱しない範囲内で適宜変更して実施し得る。
【図面の簡単な説明】
【００４４】
【図１】本発明の一実施例を示す行程図
【図２】行程の一部の内容を表す図
【図３】行程の異なる一部の内容を表す図
【図４】全体の縦断側面図
【図５】電気的構成のブロック図
【図６】コース別の加熱運転の制御内容を概略的に表す図
【図７】蛋白質の変性温度を表す図
【符号の説明】
【００４５】
図面中、７は内槽（洗濯槽）、９は駆動装置、１０は制御装置、１１は温風供給装置、３０は温度センサ（検温手段）、３１は回転センサ（洗濯槽拘束検知手段）、３２は電流センサ（洗濯物量検知手段）を示す。
【図１】
2008259627.tif 000003
【図２】
2008259627.tif 000004
【図３】
2008259627.tif 000005
【図４】
2008259627.tif 000006
【図５】
2008259627.tif 000007
【図６】
2008259627.tif 000008
【図７】
2008259627.tif 000009